(57)【特許請求の範囲】
【請求項１】
被検眼の角膜の一部を拡大して撮影する角膜顕微鏡装置において、被検眼の前眼部を正面から観察する前眼部観察光学系と、被検眼角膜に向けて斜め方向より照明光束を投光する照明光軸を持つとともに，該照明光軸上に置かれた第１スリットを所定の光学部材を介して前記被検眼角膜に前記第１スリット像として結像させる照明光学系と、前記前眼部観察光学系の観察光軸を挟んで角膜からの反射光を斜め方向から受光して撮像素子に導く撮像光軸を持つとともに，所定の光学部材を介して前記撮像光軸上であり前記第１スリット像と共役な位置に置かれる第２スリットを持つ撮像光学系と、前記照明光学系のスリット照明光を所期する撮像範囲に渡って走査すると共に角膜反射光が前記第２スリットを通過するように走査する走査手段と、を備え、前記走査手段は前記第２スリットと共用する第１スリットが円周上に所定間隔で設けられた回転部材を備え、該回転部材を回転することによりスリット照明光及び前記撮像素子に導く角膜反射光を走査することを特徴とする角膜顕微鏡装置。
【請求項２】
請求項１の角膜顕微鏡装置において、さらに前記照明光学系の光軸と撮像光学系の光軸とを交差させる光学部材を備え、前記第１スリットが前記交差位置を通るように前記回転部材を配置したことを特徴とする角膜顕微鏡装置。
【発明の詳細な説明】
【０００１】
【発明の属する技術分野】
本発明は、患者眼の角膜を観察、撮影する装置に関し、更に詳しくは角膜の内皮、実質、上皮等の角膜の各細胞層を観察、撮影する角膜顕微鏡装置に関する。
【０００２】
【従来技術】
従来、角膜の細胞層を観察又は撮影等を行うための角膜顕微鏡装置が知られている。この角膜顕微鏡装置には、患者の角膜に装置の先端部（顕微鏡の対物レンズ部）を接触させて角膜を観察する接触式の装置や、先端部を接触させずに被検眼に対して斜め方向から照明光を当て、その反射光を受光して角膜を観察する非接触の角膜顕微鏡装置が知られている。
【０００３】
【発明が解決しようとする課題】
接触式の角膜撮影装置は、角膜に顕微鏡の対物レンズ部を接触させるため、角膜上の反射光の影響を受け難く、角膜の各細胞層（上皮、実質、内皮等）の細胞層を観察するのに適しているが、装置本体の一部を角膜に接触させながら使用することは患者にとって非常に負担となる。また、接触式の装置は感染症等に気をつけなければならない。また、アライメントが難しいという問題がある。
【０００４】
一方、非接触式の角膜顕微鏡装置は、対物レンズを角膜に接触させずに使用するため、患者への負担が少なく、感染症等の心配も少ない。しかしながら、この装置は角膜上の反射光の影響を受け易いため、角膜上皮等の角膜の表面に近い細胞層を良好に観察することは難しく、観察領域も狭くなってしまう。
【０００５】
本発明は、上記従来技術の問題点に鑑み、顕微鏡部を角膜に接触させることなく、広い観察領域を確保しつつ良好な観察・撮影ができる角膜顕微鏡装置を提供することを技術課題とする。
【０００６】
【課題を解決するための手段】
上記課題を解決するために、本発明は以下のような構成を備えることを特徴とする。
【０００７】
（１）  被検眼の角膜の一部を拡大して撮影する角膜顕微鏡装置において、被検眼の前眼部を正面から観察する前眼部観察光学系と、被検眼角膜に向けて斜め方向より照明光束を投光する照明光軸を持つとともに，該照明光軸上に置かれた第１スリットを所定の光学部材を介して前記被検眼角膜に前記第１スリット像として結像させる照明光学系と、前記前眼部観察光学系の観察光軸を挟んで角膜からの反射光を斜め方向から受光して撮像素子に導く撮像光軸を持つとともに，所定の光学部材を介して前記撮像光軸上であり前記第１スリット像と共役な位置に置かれる第２スリットを持つ撮像光学系と、前記照明光学系のスリット照明光を所期する撮像範囲に渡って走査すると共に角膜反射光が前記第２スリットを通過するように走査する走査手段と、を備え、前記走査手段は前記第２スリットと共用する第１スリットが円周上に所定間隔で設けられた回転部材を備え、該回転部材を回転することによりスリット照明光及び前記撮像素子に導く角膜反射光を走査することを特徴とする。
（２）  （１）の角膜顕微鏡装置において、さらに前記照明光学系の光軸と撮像光学系の光軸とを交差させる光学部材を備え、前記第１スリットが前記交差位置を通るように前記回転部材を配置したことを特徴とする。
【００１３】
【発明の実施の形態】
本発明の実施の形態を図を用いて説明する。
＜実施例１＞
図１は実施例１にて使用する角膜顕微鏡装置の光学系を示した概略構成図である。
本実施の形態で使用する角膜顕微鏡装置の照明光学系及び撮像光学系は、スリット光を使用した共焦点光学系にて構成される。
【００１４】
１は照明光を発する光源であり、ハロゲンランプが使用される。光源１はハロゲンランプに限らず所望する光量が得られるものであればよく、例えばＬＥＤや水銀ランプ等を使用することができる。２は回転部材１０が持つスリット１０ａの走査範囲全体を均一に照明するためのレンズである。３は反射ミラー、４は投光レンズである。
【００１５】
光源１からの照明光はレンズ２によりスリット１０ａの走査範囲全体を均一に照明する。スリット１０ａを出射したスリット照明光は、反射ミラー３にて反射され、投光レンズ４を通過することにより角膜Ｅにてスリット像が結像される（撮影点Ｅ0の位置）。以上の光学部材を用いて照明光学系が構成される。
【００１６】
撮像光学系は、対物レンズ５、反射ミラー６、照明光学系と共用するスリット１０ａを持つ回転部材１０、リレーレンズ７、２次元ＣＣＤ８を備える。ここでＥ1は撮像光軸Ｌ２上における撮影点Ｅ0と略共役となる位置である。また、照明光学系の光軸Ｌ１と撮像光学系の光軸Ｌ２とは反射ミラー３、６によって共役位置Ｅ1にて交差するようにその光学配置がされている。
【００１７】
１０は円盤状の回転部材であり、その円周上には一定の間隔で照明光を通過させるスリット１０ａが複数個設けられている。回転部材１０はスリット１０ａが共役位置Ｅ1（照明光学系の投光レンズ４及び撮像光学系の対物レンズ５に関して共に角膜と略共役となる位置）に来るように配置されており、撮影したい位置をスリット結像位置と共役な位置に持ってくれば共役な撮影像が得られる。
【００１８】
図２は回転部材１０を図１のＡ方向から見たときの図である。図のように回転部材１０の円周上に位置するスリット１０ａに共役位置Ｅ1が来るように回転部材１０が設置されており、モータ１１の駆動により回転部材１０が矢印方向に回転するようになっている。ここでスリット１０ａは十分に細い孔であり、これによって実施例の角膜顕微鏡装置は共焦点型顕微鏡の効果を出すようにしている。また、回転部材１０に当たる照明光束の反射光がＣＣＤ８に入射するのを防ぐために、光軸に対する回転部材１０の設置角度を調節しておくことが好ましい。例えば、回転部材１０の照明光が当たる面を若干ＣＣＤ８側に向けて設置しておくようにする（図１の点線で示す設置角度）。
【００１９】
回転部材１０をこのように配置しておくことにより、回転部材１０にて反射した光束がＣＣＤ８に入射するのを防ぐとともに、回転部材１０が回転しても共役位置Ｅ1とＣＣＤ８の受光面とが略共役な位置を保つことができる。さらにこのときＣＣＤ８の設置角度も調節しておくことにより、共役位置Ｅ1とＣＣＤ８の受光面との共役関係をより好ましい状態にすることができる。
【００２０】
照明光軸Ｌ１と撮像光軸Ｌ２とが撮影点Ｅ0の位置にてなす角度は、照明光量、細胞層の見え具合や角膜表面での反射光量等によって調節される。角度が大きくなれば角膜表面での反射光を除去し易くなるとともに、ＣＣＤ８に入射する光量が多くなるため明るい映像が得られるが、照明光の走査によって撮影点Ｅ0と共役位置Ｅ1との共役関係が得られ難くなる。また、角度を狭くすると撮影点Ｅ0と共役位置Ｅ1との共役関係が得られ易い反面、角膜表面での反射光がＣＣＤ８に入射し易くなるとともに、得られる光量も少なくなる。また、前眼部観察光学系を設置することが難しくなる。このため、照明光軸Ｌ１と撮像光軸Ｌ２とが撮影点Ｅ0にてなす角度は好ましくは３０°〜６０°、より好ましくは４０°〜５０°である。
【００２１】
２０は被検眼前眼部を正面から観察するための前眼部観察光学系であり、前眼部観察用のカメラレンズ２１、撮像用のＣＣＤカメラ２２を持つ。対物レンズ２１の光軸は照明光軸Ｌ１と撮像光軸Ｌ２との間に配置される。また、前眼部観察光学系２０にはアライメント指標を正面から投影するアライメント光学系を組み込むことにより、ＣＣＤカメラ２２で撮像された前眼部の映像を図示しないモニタで見ながらアライメントを行うことができる。
【００２２】
以上のような構成を備える角膜顕微鏡装置において、その動作について説明する。
前眼部観察光学系２０を用いて角膜Ｅに対して装置の光学系（照明光学系、撮像光学系）を所定の位置に合わせる（又は被検眼と角膜顕微鏡装置との位置関係を目視にて合わせてもよい）。光源１からの照明光束はレンズ２を経た後、回転部材１０のスリット１０ａを通過しスリット光とされ、反射ミラー３、投光レンズ４を通過して角膜Ｅの撮影点Ｅ0にて集光する。照明光束の撮影点Ｅ0の位置における反射光（像光線）は、撮像光軸Ｌ２上の対物レンズ５、反射ミラー６を経てスリット１０ａを通過する。スリット１０ａを通過した反射光束はリレーレンズ７を経てＣＣＤ８に受光される。一方、回転部材１０はモータ１１によりＣＣＤ８の同期信号よりも充分早い回転速度にて回転される。回転部材１０の回転により、スリット１０ａが一定の方向に移動するため、照明光束は角膜の一定の領域を幅の狭い照明光束として繰り返し走査することとなる。角膜からの反射光（像光線）は再びスリット１０ａを通過してＣＣＤ８の受光面全域に幅の狭い反射光束が繰り返し走査されることとなる。その結果、図示なきモニタには角膜の細胞像が広い範囲で映し出されることとなる。
【００２３】
このように照明光軸と撮像光軸上に形成される共役位置を互いに交差させておき、そこにスリット１０ａを位置させることにより、１つのスリットにて共焦点顕微鏡の効果を得ることができるため、簡単な構成により解像度の高い画像を映し出すことができる。
【００２４】
以上の実施例では、１つのスリットにて走査型の共焦点顕微鏡の効果を得るものとしているが、これにかぎるものではなく、照明光軸と撮像光軸とを交差させず各々の共役位置にそれぞれスリットを設けて置くこともできる。
【００２５】
図３は照明光軸と撮像光軸にそれぞれ共焦点用のスリットを用意した場合の光学系を示す図である。実施例１と同機能のものには同符号を付してある。
【００２６】
３０は円筒形の回転部材である。回転部材３０の円周上（側面）にはスリットが一定間隔で設けられている。図３（ａ）に示すように回転部材３０の内部には反射ミラー３１、３２が設置されている。光源１は回転部材３０の下方に設置されており、光源１からの照明光はレンズ２を経た後、反射ミラー３１にて反射され、スリット３０ａを通過する。スリット３０ａを通過した照明光は反射ミラー３、投光レンズ４を経て角膜Ｅの撮影点Ｅ0（スリット３０ａと共役な位置）にて集光する。
【００２７】
撮影点Ｅ0の位置にて反射する反射光は対物レンズ５、反射ミラー６を経てスリット３０ｂを通過する。スリット３０ｂを通過した反射光束は反射ミラー３２にて下方に導かれ、リレーレンズ７を経てＣＣＤ８に受光するようになっている。また、Ｅ2，Ｅ3はともに角膜の撮影点Ｅ0と共役となる位置である。
【００２８】
回転部材３０は図３（ｂ）に示すモータ３３により円周の中心を軸に回転し、これによって角膜への照明光の走査、及びＣＣＤ８の受光面への反射光の走査が行われるようになっている。
【００２９】
このように照明光軸と撮像光軸とで異なるスリットを使用しても一つの回転部材を用いているため、走査時におけるスリット同士の同期を取る必要がない。また、スリット同士の同期を取る必要があるが、照明光軸Ｌ１の共役位置（Ｅ3）と撮像光軸Ｌ２の共役位置（Ｅ2）に、スリットを有した回転部材を各々別に設置しておき、この２つの回転部材を回転させて走査を行うこともできる。
【００３０】
上記の実施例では照明光の走査をスリットの移動によるものとしているが、これに限るものではなく、照明光束をミラーの角度変更によって角膜Ｅに対して走査することもできる。以下に実施例２としてミラーの角度変更によって照明光束の走査を行う角膜顕微鏡装置について説明する。
【００３１】
＜実施例２＞
図４は実施例２で用いる角膜顕微鏡装置の光学系を示した図である。ここで実施例１と同機能のものには同符号を付してある。
【００３２】
４０は照明光を発する光源であり、実施例では指向性の強いレーザダイオードである。光源４０から出射される照明光束の断面形状は細いスリット孔の形状に形成されている。４１は表面に反射面を有する多面体からなる回転部材であり、実施例では正八面体のポリゴンミラーを使用している。実施例ではポリゴンミラーを使用しているが、これに限るものではなく、反射面を有する多面体であればよい。例えば多数の反射面を持つプリズム等が使用できる。ポリゴンミラー４１は図示なきモータによって一方向に回転可能である。
【００３３】
３，６は反射ミラー、４は投光レンズ、５は対物レンズ、４２はスリット、７はリレーレンズ、４３は一次元ＣＣＤである。ＣＣＤ４３はスリット４２の長手方向と一致する受光面を持つ。光源４０から出射されたスリット照明光束は、ポリゴンミラーの反射面４１ａにて反射された後、反射ミラー３によりその方向を変えられて投光レンズ４を経て角膜Ｅ（撮影点Ｅ0）に斜め方向から集光するようになっている。角膜からの反射光は撮像光軸上Ｌ２上の対物レンズ５を経た後、反射ミラー６によりその方向を変え、ポリゴンミラー４１の反射面４１ｂにて反射される。反射面４１ｂにて反射した反射光束は、角膜Ｅ（撮影点Ｅ0）と略共役位置に位置するスリット４２を通過し、リレーレンズ７を経てＣＣＤ４３にて受光される。
【００３４】
なお、反射ミラー３，６は、ポリゴンミラー４１の反射面４１ａ上での照明光の反射位置と反射面４１ｂ上での反射光の反射位置とが同じになるように、その設置角度が決定されている。
【００３５】
ポリゴンミラー４１を回転させて光源４０から出射される照明光束を角膜Ｅにて走査させると、その反射光はＣＣＤ４３の受光面にて受光される。また、実施例１と同様に照明光軸と撮像光軸とが撮影点Ｅ0にてなす角度は、好ましくは３０°〜６０°、より好ましくは４０°〜５０°である。
【００３６】
また、ポリゴンミラー４１の反射面とリレーレンズ７との間には、撮影点Ｅ0と共役となる位置Ｅ4が形成されており、ここに十分に幅の狭いスリット４２を配置したことによって、走査型の共焦点顕微鏡の効果が得られることとなる。
【００３７】
以上のような構成を備える角膜顕微鏡装置において、その動作について説明する。
前眼部観察光学系２０を用いて角膜Ｅに対して各光学系（照明光学系、撮像光学系）を所定の位置に合わせる。光源４０からのスリット照明光束はポリゴンミラー４１の反射面４１ａにて反射された後、反射ミラー３にて方向を変え投光レンズ４を通過して角膜Ｅの撮影点Ｅ0の位置にて集光する。
【００３８】
照明光束の撮影点Ｅ0における反射光（像光線）は撮像光軸Ｌ２上の対物レンズ５、反射ミラー６を経た後、ポリゴンミラー４１の反射面４１ｂにて反射される。反射面４１ｂにて反射した反射光束は、スリット４２の位置にて集光した後、リレーレンズ７を経てＣＣＤ４３に受光される。
【００３９】
一方、ポリゴンミラー４１は図示なきモータにより一定方向に回転される。ポリゴンミラーの回転により、反射面４１ａの角度が変化するため、反射面４１ａを反射した照明光束は、角膜の一定の領域を幅の狭い照明光束にて走査することとなる。ポリゴンミラー４１が更に回転し、反射面４１ａの隣に位置する反射面に対して照明光が当たると、再び反射面４１ａの場合と同様の走査範囲を繰り返して照明することとなる。
【００４０】
角膜の一定の領域を照明光束にて走査することにより、ＣＣＤ４３の受光面には経時的に変化する照明箇所からの反射光束が受光されることとなる。一回の走査によって得られる異なる照明箇所からの受光像（反射光束）は、画像処理部５０によってモニタ５１上に順に並べられて一画面にて表示される。これを繰り返すことにより、モニタ５１には解像度の高い角膜の細胞像が広い範囲で映し出されることとなる。
【００４１】
実施例２では、レーザダイオードを光源に使用しているが、これに限るものではなく、ハロゲンランプや水銀ランプ等の光量の大きいものであれば使用することができる。ハロゲンランプや水銀ランプを使用する場合には、実施例２で示した照明光学系の光軸上に、投光レンズ４により角膜Ｅ（Ｅ0）と略共役となる位置にスリットを設置すればよい。
【００４２】
このように、反射ミラーの反射角度を常時変化させることにより、角膜Ｅにおける照明光の走査を行うことができるとともに、共焦点顕微鏡の効果を得ることができるため、広い撮影視野を確保しつつ解像度のよい映像を得ることができる。またこれによって、従来では難しかった実質、上皮等の角膜の細胞層の観察、撮影を非接触式の角膜顕微鏡装置で行うことができる。
【００４３】
また、実施例２では１次元ＣＣＤを使用しているが、２次元ＣＣＤを使用した場合の光学系を図５に示し説明する。
【００４４】
６０はハロゲンランプ等の光源である。６１は集光レンズ、６２はスリット、６３，６４は反射ミラー、６５は対物レンズである。８０はガルバノミラーである。光源６０から発せられる照明光は集光レンズにてスリット６２の位置にて集光したあと、反射ミラー６３にて反射され、ガルバノミラー８０の反射面８０ａにて反射される。ガルバノミラー８０の反射面８０ａにて反射した照明光は反射ミラー６４、対物レンズ６５を経て被検眼Ｅの角膜上に集光する（撮影点Ｅ0の位置）。また、スリット６２の位置は対物レンズ６５に対して撮影点Ｅ0と共役となっている。これらの光学部材にて照明光学系が構成される。
【００４５】
また、６６は対物レンズ、６７，６８，６９は反射ミラー、７０はスリット、７１，７２はリレーレンズ、７３は２次元ＣＣＤである。撮影点Ｅ0での反射光は対物レンズ６６、反射ミラー６７を経たあとガルバノミラー８０の反射面８０ｂにて反射される。反射面８０ｂにて反射された反射光は反射ミラー６８，６９にて折り曲げられ再びガルバノミラー８０へ向かう。ガルバノミラー８０へ向かう反射光はスリット７０、リレーレンズを経たあと反射面８０ｃにて反射される。反射面８０ｃにて反射された反射光はリレーレンズ７２を経てＣＣＤ７３に受光される。このときスリット７０の位置は対物レンズ６６に対して撮影点Ｅ0と共役な位置となっている。これらの光学部材にて撮像光学系が構成される。
【００４６】
ガルバノミラー８０を図示する矢印方向に振ることにより照明光が角膜の所定範囲において走査され、その反射光が再びガルバノミラーの反射面にて反射されＣＣＤ７３に受光される。その結果、図示なきモニタには解像度の高い映像が広い範囲で映し出されることとなる。
【００４７】
＜実施例３＞
次に、照明光軸と撮影光軸とに各々スリットを有する回転部材を設けた場合の実施例について図６、図７を用いて説明する。
【００４８】
８０は照明光を発する光源であり、ハロゲンランプが使用される。光源８０はハロゲンランプに限らず所望する光量が得られるものであればよく、例えばＬＥＤ、水銀ランプ、レーザダイオード等を使用することができる。８１は回転部材８２が持つスリット８２ａの走査範囲全体を均一に照明するためのレンズである。８３は投光レンズである。回転部材８２は円周上に一定の間隔で照明光を透過させるスリット８２ａが複数個設けられている。ここでＥ5は照明光軸Ｌ１における撮影点Ｅ0（スリット像が結像する位置）と投光レンズ８３を介して略共役となる位置である。これらの部材によって照明光学系が構成される。
【００４９】
撮像光学系は、対物レンズ８４、回転部材８５、リレーレンズ８６、２次元ＣＣＤ８７を備える。回転部材８５は円周上に一定の間隔で照明光を透過させるスリット８５ａが複数個設けられており、回転部材８２と同形状のものである。ここでＥ6は撮像光軸Ｌ２上における撮影点Ｅ0と対物レンズ８４を介して略共役となる位置である。また、スリット８２ａ，８５ａの開口部の幅は十分に狭いものであり、これによって共焦点顕微鏡の効果をだすものとしている。
【００５０】
また、回転部材８２，８５はモータ８８ａ，８８ｂによって同方向に回転するようになっている。このように２枚の回転部材を使用して照明光の走査、反射光の受光を行うためには回転部材８２，８５の同期をとる必要がある。
【００５１】
図７は回転部材８２，８５の回転速度を一致させ、同期をとるための制御を示すブロック図である。
８８ａ，８８ｂは回転部材８２，８５を各々回転させるためのモータ、８９ａ，８９ｂは回転部材８２，８５の回転状態を検出するためのフォトインタラプタからなるセンサである。センサ８９ａ（８９ｂ）は回転部材８２（８５）に設けられているスリット８２ａ（８５ａ）を通過する光を検知している。９０は回転部材８２，８５の同期をとるための制御部である。制御部９０はモータ９０ａ（９０ｂ）の駆動を制御するドライバ９１ａ（９１ｂ）、水晶振動子を使用して同期の基準となる信号を発信する基準発信部９２、基準発信部９２からの信号とセンサ８９ａ（８９ｂ）からの検知信号とを比較する信号比較部９３ａ（９３ｂ）からなる。
【００５２】
モータ８８ａ（８８ｂ）が駆動し、回転部材８２（８５）が回転するとその回転状態はセンサ８９ａ（８９ｂ）にて光パルスの信号として検知される。センサ８９ａ（８９ｂ）からの信号は信号比較部９３ａ（９３ｂ）にて受信され、その位相と周波数が基準発信部９２からの信号と比較される。信号比較部９３ａ（９３ｂ）は基準発信部９２からの信号と同じ位相、周波数となるようにドライバ９１ａ（９１ｂ）を使用してモータ８８ａ（８８ｂ）を駆動制御する。これにより回転部材８２と回転部材８５との同期がとれることとなる。
【００５３】
以上のような構成を備える装置において、その動作について簡単に説明する。光源８０からの照明光束はレンズ８１を経た後、回転部材８２のスリット８２ａを通過しスリット光とされ、投光レンズ８３を通過して角膜Ｅの撮影点Ｅ0にて集光する。照明光束の撮影点Ｅ0の位置における反射光（像光線）は、撮像光軸Ｌ２上の対物レンズ８４を経てスリット８５ａを通過する。スリット８５ａを通過した反射光束はリレーレンズ８６を経てＣＣＤ８７に受光される。
【００５４】
一方、回転部材８２はモータ８８ａによりＣＣＤ８７の同期信号よりも充分早い回転速度にて回転される。回転部材８２の回転により、スリット８２ａが一定の方向に移動するため、照明光束は角膜の一定の領域を幅の狭い照明光束として繰り返し走査することとなる。角膜からの反射光（像光線）は回転部材８２と同期した回転部材８５のスリット８５ａを通過してＣＣＤ８７の受光面全域に幅の狭い反射光束が繰り返し走査されることとなる。その結果、図示なきモニタには解像度の高い角膜の細胞像が広い範囲で映し出されることとなる。
【００５５】
また、共焦点光学系を用いているため角膜表面での反射光を除去することができ、角膜内皮、実質、上皮等の角膜の各細胞層を解像度の高い映像にて観察することができる。
【００５６】
【発明の効果】
以上のように、本発明は照明光束を被検眼に対して斜方から入射させるとともに走査型の共焦点光学系を構成したことにより、角膜内皮、実質、上皮等の角膜の各細胞層について視野が広く解像度が高い映像を得ることができる。
【図面の簡単な説明】
【図１】実施例１で用いる角膜顕微鏡装置の光学系を示した図である。
【図２】回転部材の詳細を示した図である。
【図３】照明光軸と撮像光軸にそれぞれ共焦点用のスリットを用意した場合の光学系を示した図である。
【図４】実施例２で用いる角膜顕微鏡装置の光学系を示した図である。
【図５】２次元ＣＣＤを使用した場合の光学系を示した図である。
【図６】照明光軸と撮影光軸とに各々スリットを有する回転部材を設けた場合の光学系を示した図である。
【図７】２枚の回転部材の同期をとるための制御を示すブロック図である。
【符号の説明】
１  光源
２  レンズ
３  反射ミラー
４  投光レンズ
５  対物レンズ
６  反射ミラー
７  リレーレンズ
８  ２次元ＣＣＤ
１０  回転部材
１０ａ  スリット
２０  前眼部観察光学系
２１  カメラレンズ
２２  ＣＣＤカメラ
【図１】
0003929717.tif 000002
【図２】
0003929717.tif 000003
【図３】
0003929717.tif 000004
【図４】
0003929717.tif 000005
【図５】
0003929717.tif 000006
【図６】
0003929717.tif 000007
【図７】
0003929717.tif 000008